(57)【要約】【課題】木造家屋においては地域的に１間長さが異なり（江戸間〜京間）、柱間に手摺を設置する場合に、従来では異なる１間長さに応じた各種長さの手摺棒を用意する必要があった。【解決手段】所定長さの手摺棒１と、手摺棒端部１ａを保持して家屋の木質部分にビスで固定される一組の保持部材２，２とを有した手摺セットにおいて、少なくとも一方の保持部材２に手摺棒端部１ａを所定深さまで挿入し得る筒体３を形成するとともに、手摺棒端部１ａと筒体３との重合長さを調節した状態で、手摺棒端部１ａと筒体３とを固定する固定手段４を備えており、地域によって１間長さがことなっても、単一規格の手摺セットで共用できる。【選択図】      図１
2004257147.tif 000002
【特許請求の範囲】
【請求項１】
所定長さの手摺棒（１）と、手摺棒（１）の端部（１ａ）を保持して家屋の木質部分にビスで固定される一組の保持部材（２，２）とを有した手摺セットであって、少なくとも一方の保持部材（２）に手摺棒端部（１ａ）を所定深さまで挿入し得る筒体（３）を形成するとともに、手摺棒端部（１ａ）と筒体（３）との重合長さを調節した状態で、手摺棒端部（１ａ）と筒体（３）とを固定する固定手段（４）を備えたことを特徴とする手摺棒セット。
【請求項２】
請求項１において、一組の保持部材（２，２）は、取付状態においてそれぞれ近接する側に傾斜する形状に形成していることを特徴とする手摺セット。
【請求項３】
請求項１又は２において、手摺棒（１）として中空のパイプ（１０）を使用し、該パイプ（１０）の壁面に空気通口（１１，１１・・）を形成するとともに、該パイプ（１０）内に吸臭剤（５）を収納していることを特徴とする手摺セット。
【発明の詳細な説明】
【０００１】
【発明の属する技術分野】
本願発明は、所定長さの手摺棒とその両端部を保持する一組の保持部材とを有する手摺セットに関し、特に各保持部材を家屋の木質部分にビスで取付け得るようにした手摺セットに関するものである。
【０００２】
【従来の技術】
家屋の壁面に手摺を取付ける場合は、手摺棒両端の各保持部材を壁面にビスで固定するが、手摺両端の各保持部材を固定する壁面は、支持強度が強いことが要求される。
【０００３】
ところで、木造家屋における壁面構成部分は、一般に１間（いっけん）又は半間（はんげん）の間隔ごとに太い柱が立てられ、各柱間には壁材が設けられている。この柱間の壁材は、木造家屋では一般に土壁や化粧板（薄板）が使用されている。そして、木造家屋の壁面における土壁部分や化粧板（薄板）部分は、支持強度が弱いために手摺保持部材の取付場所としては不向きであり、木造家屋において手摺保持部材を固定する部分としては一般に柱が用いられる。
【０００４】
図１０には、木造家屋における一般的な手摺取付構造を示しているが、この手摺取付例では、２本の柱６，６の間隔Ｌを１間とし、該１間の間隔の柱６，６間に手摺Ｘを取付けている。この手摺Ｘは、１間の長さに応じた一定長さの手摺棒１Ａと、該手摺棒１Ａの両端部を支持する一組の保持部材２Ａ，２Ａとで構成している。尚、この種の手摺は、半間の間隔部分に使用する場合もあり、その場合は手摺棒として半間長さに対応するものを使用する。
【０００５】
又、図１０の手摺Ｘの各保持部材２Ａ，２Ａは、平面視において手摺棒１Ａの長さ方向に対して手前側直角方向に突出する形状のものが使用されている。尚、各保持部材２Ａ，２Ａは、ビス７で柱表面に取付けられている。
【０００６】
【発明が解決しようとする課題】
ところで、木造家屋においては、地域的に１間の長さＬを、約１８２ｃｍ（江戸間）、約１９１ｃｍ（中京間）、約１９７ｃｍ（京間）というように異なる長さ（最大で１５ｃｍの差がある）に設定される。従って、図１０に示す従来の手摺Ｘでは、設定される１間Ｌの長さ（上記約１８２ｃｍ、約１９１ｃｍ、約１９７ｃｍ）に応じた各種長さの手摺棒１Ａを用意する必要があった。又、このように手摺棒１Ａの長さの種類が多いと、購入者が勘違いしてサイズの異なる手摺セット（例えば京間の柱間隔に対して江戸間用の長さの手摺棒１Ａ）を購入するおそれがあり、その場合は返品・交換等のトラブルの原因にもなる。さらに、図１０に示すように、手摺セットの保持部材２Ａは、柱７の前面に対して手前側直角方向に突出する状態で取付けられるので、例えば図１０に示すように、保持部材２Ａがスイングドア８の開き側に位置する場合には、該スイングドア８を鎖線図示（符号８′）する範囲（図示例では角度１１０°）までしか開放させることができないという問題もあった。
【０００７】
本願発明は、上記した従来の手摺の問題点に鑑み、単一のもので柱間の間隔に応じて長さ調整を可能にした手摺セットを提供することを第１の目的とし、そのような手摺セットにおいて、柱に取付けた保持部材が可及的に邪魔にならないようにすることを第２の目的とするとともに、手摺に別の付加価値（吸臭機能）を付与することを第３の目的としている。
【０００８】
【課題を解決するための手段】
本願発明は、上記課題を解決するための手段として次の構成を有している。尚、本願発明は、木造家屋の柱間に設置する手摺セットを対象にしている。
【０００９】
本願請求項１の発明
本願請求項１の発明の手摺セットは、所定長さの手摺棒と、手摺棒の端部を保持して家屋の木質部分にビスで固定される一組の保持部材とを有している。各保持部材を取付けるべき家屋壁面としては、木造家屋の場合は支持強度の点で土壁や化粧板（薄板）部分は不向きであり、一般に柱が採用される。
【００１０】
手摺棒としては、この請求項１では木製で中実の丸棒や金属製あるいは硬質プラスチック製のパイプ材等が使用可能である。又、この手摺棒は、１間用と半間用の２種類の長さ（それぞれ一定長さ）のものが製作される。手摺棒の長さは、保持部材に連結される筒体（後述する）の長さ・個数等にもよるが、１間用のものでは例えば１３０〜１７０ｃｍの範囲の特定長さ（例えば１５０ｃｍ）に設計でき、半間用のものでは例えば５０〜６０ｃｍの範囲の特定長さ（例えば５５ｃｍ）に設計できる。
【００１１】
各保持部材には、家屋壁面（柱）にビス固定する取付台と手摺棒を壁面から離間させる張出部とを有している。尚、張出部の先端側は手摺棒端部を接続し得る構造になっている。
【００１２】
又、本願の手摺セットでは、少なくとも一方の保持部材に手摺棒端部を所定深さまで挿入し得る筒体を形成している。この筒体は、保持部材と一体成形してもよく、あるいは別のパイプを保持部材に連結・固定してもよい。尚、この筒体も、実質的に手摺となる部分である。
【００１３】
この筒体は、手摺棒端部の挿入深さを調整することで、手摺棒両端に取付ける両保持部材間の間隔を調整し得るものである。筒体を一方の保持部材のみに連結する場合には、該筒体の長さを、手摺棒端部の実質調整長さが少なくとも１５ｃｍ（江戸間の１間と京間の１間との差が１５ｃｍ）以上とれるようにするとよい。又、筒体を各保持部材のそれぞれに連結する場合には、各筒体によるそれぞれの実質調整長さが少なくとも７．５ｃｍ以上づつとれるようにするとよい。尚、筒体は、手摺棒端部を可及的に長く挿入させ得るようにすることは差し支えなく、例えば筒体の重合調整長さを３０ｃｍ程度まで長くすることが可能である。
【００１４】
又、この手摺セットには、手摺棒端部と筒体との重合長さを調節した状態で、手摺棒端部と筒体とを固定する固定手段を備えている。この固定手段としては、例えばビス（又は小ボルト）が使用でき、該ビス等を筒体の外側から手摺棒端部の挿入部分にねじ込んで（あるいは手摺棒端部の表面を押さえて）、手摺棒端部と筒体とを固定する。
【００１５】
この請求項１の手摺セットは、例えば廊下や部屋の壁面における２つの柱間（例えば１間間隔の各柱）に跨がって設置されるが、その設置方法について説明する。まず、一方の保持部材を一方の柱の所定位置にビスで固定する。次に、その固定した保持部材に手摺棒の一端部を接続するが、筒体付きの保持部材ではその筒体内に手摺棒端部を挿入しておく。続いて、他方の保持部材を他方の柱の所定位置にビスで固定するが、筒体付きの保持部材であれば、該筒体を手摺棒の他方の端部の嵌合させた状態で保持部材をビス固定する。その後、手摺棒の端部と筒体（１つ又は２つ）との重合長さを適宜に調整した状態で、固定手段（ビス等）により筒体と手摺棒端部とを固定すると、この手摺セットの設置は完了する。
【００１６】
この請求項１の手摺セットでは、保持部材に形成した筒体に対して手摺棒端部の重合長さを調整することで、地域によって１間長さの寸法に差があっても（１間長さは、江戸間が約１８２ｃｍ、中京間が約１９１ｃｍ、京間が約１９７ｃｍ）、単一規格の手摺セットで対応できる。
【００１７】
本願請求項２の発明
本願請求項２の発明は、上記請求項１の手摺セットにおいて、一組の保持部材は、取付状態においてそれぞれ近接する側に傾斜する形状に形成している。
【００１８】
即ち、各保持部材は、その取付台部分を柱に固定した状態で、各保持部材の張出部がその付け根部分から先側に向けてそれぞれ相互に近接する側に傾斜するようにしている。
【００１９】
このようにすると、スイングドアを取付けた柱におけるドア開放側に保持部材を取付た場合に、保持部材の先側（張出側）がドアとは反対側に逃げるようになる。従って、スイングドアをかなり大きく開放させてもドア側面が保持部材に衝突しなくなる。
【００２０】
本願請求項３の発明
本願請求項３の発明は、請求項１又は２の手摺セットにおいて、手摺棒として中空のパイプを使用し、該パイプの壁面に空気通口を形成するとともに、パイプ内に吸臭剤を収納していることを特徴としている。
【００２１】
吸臭剤としては、例えば活性炭を小粒状に細断したものが使用できる。又、この吸臭剤（活性炭）は、細目の網袋に収容した状態で、手摺棒（パイプ）内に収納される。尚、この請求項３の手摺セットは、例えばトイレのような臭気が発生する部屋の壁面に設置するのに適している。
【００２２】
そして、この請求項３の手摺セットでは、設置状態において室内の空気がパイプの空気通口を通って該パイプ内外に流通し、そのときパイプ内に流入した空気中の臭気成分を吸臭剤に吸収させることができる。
【００２３】
【発明の効果】
本願請求項１の発明の効果
請求項１の手摺セットは、所定長さの手摺棒と、手摺棒の端部を保持しる一組の保持部材とを有し、少なくとも一方の保持部材に手摺棒端部を所定深さまで挿入し得る筒体を形成しているので、該筒体に対して手摺棒端部の挿入・重合長さを調整し得るようになっている。
【００２４】
従って、この請求項１の手摺セットでは、保持部材に形成した筒体に対して手摺棒端部の重合長さを調整することで、地域によって１間長さの寸法に差があっても（１間長さは、江戸間が約１８２ｃｍ、中京間が約１９１ｃｍ、京間が約１９７ｃｍである）、単一規格の手摺セットで共用でき（１間についての寸法差ごとの手摺棒を製造しなくてよい）、製造者及び消費者の利便性が向上するという効果がある。
【００２５】
本願請求項２の発明の効果
本願請求項２の発明は、請求項１の手摺セットにおいて、１組の保持部材を取付状態においてそれぞれ近接する側に傾斜する形状に形成している。
【００２６】
従って、この請求項２の手摺セットでは、上記請求項１の効果に加えて次のような効果がある。即ち、スイングドアを取付けた柱におけるドア開放側に保持部材を取付た場合に、保持部材の先側（張出側）がドアとは反対側に逃げており、スイングドアをかなり大きく開放させてもドア側面が保持部材に衝突しないので、該ドアの開放角度範囲を大きくできるという効果がある。
【００２７】
本願請求項３の発明の効果
本願請求項３の発明は、請求項１又は２の手摺セットにおいて、手摺棒として中空のパイプを使用し、該パイプの壁面に空気通口を形成するとともに、パイプ内に吸臭剤を収納している。
【００２８】
従って、この請求項３の手摺セットでは、上記請求項１又は２の効果に加えて次のような効果がある。即ち、この請求項３の手摺セットの設置状態では、室内の空気がパイプの空気通口を通って該パイプ内外に流通し、そのときパイプ内に流入した空気中の臭気成分を吸臭剤に吸収させ得るという効果がある。又、吸臭剤はを手摺棒内に収納しているので、該吸臭剤の専用設置スペースが不要になるという効果もある。尚、この請求項３の手摺セットは、トイレ内に設置した場合に特に効果（吸臭効果）を発揮する。
【００２９】
【発明の実施の形態】
以下、図１〜図９を参照して本願実施形態の手摺セットを説明すると、図１〜図３には第１実施形態、図４〜図５には第２実施形態、図６〜図９には第３実施形態がそれぞれ示されている。
【００３０】
図１〜図３の第１実施形態
図１〜図３に示す第１実施形態の手摺セットは、図３に示すように木造家屋における１間の間隔Ｌで設置された２本の柱６，６間に用いられるものである。尚、木造家屋における１間の長さは、地域によって異なり、江戸間が約１８２ｃｍ、中京間が約１９１ｃｍ、京間が約１９７ｃｍで、江戸間と京間とでは、同じ１間でも１５ｃｍの差がある。
【００３１】
この第１実施形態の手摺セットは、所定長さの手摺棒１と、手摺棒１の各端部１ａ，１ａを保持して家屋の柱６，６にビスで固定される一組の保持部材２，２とを有している。
【００３２】
本願の各実施形態では、手摺棒１としてパイプ１０が使用されている。このパイプ１０は、金属製でも硬質プラスチック製でもよい。尚、他の実施形態では、手摺棒１として木製で中実の丸棒を使用することもできる。
【００３３】
この手摺棒１の外径は３５〜４０ｍｍ程度が適当である。又、この第１実施形態（図３）では、手摺棒１は１間用のものを使用しているが、１間用の手摺棒１としては、長さを１５０ｃｍ（特に限定するものではない）程度に設定することができる。尚、手摺棒１は半間用のものも用意するが、半間用の手摺棒１では、長さを５５ｃｍ程度にするとよい。
【００３４】
手摺棒１の各端部１ａ，１ａを保持する各保持部材２，２は、この第１実施形態では、柱７の角部に接合させる取付台２１と手前側に傾斜姿勢で張出した張出部２２とを有している。この保持部材２（取付台２１と張出部２２）は、鋳造により一体成型することができる。
【００３５】
取付台２１は、上下に８〜１０ｃｍ程度の長さを有し、柱７の角部を抱持し得る外向きＬ型のアングル状に形成している。そして、この取付台２１には、柱７の角部の前面側及び側面側にそれぞれビス７をねじ込むためのビス穴２３，２３・・を形成している。尚、他の実施形態では、各ビス穴２３のうち、柱角部の側面に対するビス穴を省略することができる。
【００３６】
張出部２２は、手摺設置状態において、手摺棒１を壁面から５〜６ｃｍ程度離間させるためのものである。そして、この実施形態では、張出部２２は、取付台２１を柱７の角部に取付けた状態で、平面視で角度ａ（ａ＝約３０°）だけ傾斜する方向に指向させている。尚、張出部２２の傾斜角度ａは、３０°〜６０°の範囲で適宜に設定できる。又、張出部２２の長さは、傾斜角度ａにもよるが、８〜１２ｃｍ程度が適当である。
【００３７】
保持部材２の先端（張出部２２の先端）には、所定長さＭ（特に限定するものではないが、例えばＭ＝２０〜３０ｃｍ程度）の筒体３を連続させている。この筒体３は、手摺棒１の端部１ａを適宜深さまで挿入させ得るものである。そして、該筒体３と手摺棒端部１ａとの重合長さを調整することで、両保持部材２，２（両取付台２１，２１）間の間隔を２本の柱６，６間の間隔Ｌ（１間間隔）に対応させ得るようになっている。
【００３８】
この実施形態では、該筒体３は保持部材２とは別体のパイプ（金属製又は硬質プラスチック製）を使用し、該パイプ３を張出部２２の先端部に適宜の方法（例えば接着又はビス止め等）で連結固定している。筒体３の先端開口３１側の端部寄り位置には、手摺棒端部１ａに対する固定手段となるビス（小ボルト）４を螺合させるためのネジ穴３２，３２を形成している。そして、この筒体３は、図２において符号Ｎ（Ｎ＝１５〜２０ｃｍ程度）の範囲で手摺棒端部１ａの重合長さを調整できるようになっている。
【００３９】
尚、この実施形態では、両保持部材２，２にそれぞれ筒体３，３を連結しているが、他の実施形態では、一方の保持部材２のみに筒体３を連結してもよい。その場合は、他方の保持部材２の張出部２２先端に直接、手摺棒端部１ａを接続させ得るようにする。
【００４０】
この第１実施形態の手摺セットは、図３に示すように例えば廊下や部屋の壁面における２つの柱６，６間（１間間隔Ｌの各柱）に跨がって設置されるが、その設置方法について説明する。まず、図２に示すように、一方の筒体つき保持部材２の取付台２１を一方の柱７の角部の所定高さ位置に当てがい、該取付台２１の各ビス穴２３，２３・・からそれぞれ柱６にビス７，７・・をねじ込んで、一方の筒体つき保持部材２を柱６に固定する。次に、その固定した保持部材２の筒体３内に手摺棒１の一端部１ａを非固定状態で挿入し、該手摺棒１の他端部１ａに他方の保持部材２の筒体３内を嵌合させ、その状態で他方の保持部材２の取付台２１を他方の柱６の角部の所定高さ位置に当てがう。その際、保持部材２（取付台２１）の位置決めは、手摺棒端部１ａに対して筒体３部分をスライドさせることによって行える。そして、取付台２１の各ビス穴２３，２３・・からそれぞれ柱６にビス７，７・・をねじ込んで、他方の筒体つき保持部材２を柱６に固定する。その後、各筒体３，３のネジ穴３２，３２にビス４，４をねじ込んで、各筒体３，３と各手摺棒端部１ａ，１ａとを固定すると、この手摺セットの設置作業は完了する。
【００４１】
ところで、木造家屋において、１間の柱６，６間の間隔Ｌは、地域によって差があるが（１間長さは、江戸間が約１８２ｃｍ、中京間が約１９１ｃｍ、京間が約１９７ｃｍである）、この実施形態の手摺セットでは、保持部材２に手摺棒端部１ａを挿入し得る筒体３を設けているので、１間間隔Ｌに差があっても手摺棒端部１ａと筒体３との重合長さを調整することで対応できる。従って、単一規格の手摺セットであっても、間隔Ｌの異なる柱６，６間に共用して手摺を形成することができる。
【００４２】
又、この実施形態の手摺セットでは、図３に示す取付状態において、保持部材２，２が相互に近接する側に傾斜（傾斜角度ａ＝約３０°）させているので、保持部材２を取付けた柱６にスイングドア８を取付けた場合に、保持部材２の先側（張出部２２の先側）がドア８とは反対側に逃げるようになる。従って、図３に鎖線図示（符号８′）するように、スイングドアをかなり大きく開放させてもドア側面が保持部材２に衝突することはなく、該スイングドア８の開放範囲を大きくできる。因に、図３の例では、スイングドア８の開放角度範囲は約１５５°である。
【００４３】
図４〜図５に示す第２実施形態
この第２実施形態の手摺セットは、上記第１実施形態の手摺セットにおける保持部材２（取付台２１）の変形例を示している。
【００４４】
この第２実施形態では、保持部材２の取付台２１は、図４及び図５に示すように、柱６の前面の平坦部に取付け得るように平板状に成形している。尚、この平板状の取付台２１にも、ビス穴２３，２３・・が形成されている。
【００４５】
このように、取付台２１を平板状にすると、第１実施形態の柱角部取付用のもの（Ｌ型アングル状のもの）より取付位置に自由度がある。尚、この第２実施形態のその他の構成は上記第１実施形態のものと同じであり、該第１実施形態のものと同じ機能を有する。
【００４６】
図６〜図９に示す第３実施形態
この第３実施形態の手摺セットにおいて、基本的な構成は上記第１実施形態及び第２実施形態のものとほぼ同じであるが、この第３実施形態では、手摺棒１として図６、図８、図９に示すように空気通口１１を形成した通気性のあるものを使用している。又、保持部材２の取付台２１としては、図７及び図８に示すように直角方向に向くタイル壁面９，９が接合する凹角部９ａに取付け得る構造のものを使用している。
【００４７】
ところで、トイレ内の壁面は、図７及び図８に示すようにタイル張りをすることがよくある。該タイル壁面９には保持部材２（取付台２１）を直接ビス止めすることはできないが、タイル壁面９，９が接合する凹角部９ａの裏側には一般に木製の柱６が存在する。そして、タイル壁面であっても、凹角部９ａの目地部分はビス７の進入が可能であり該凹角部９ａの目地部分を通して柱６にビス７をねじ込むことができる。
【００４８】
この第３実施形態の保持部材２の取付台２１は、図６〜図８に示すように内向きＬ型のアングル状に形成している（第１実施形態のものとは逆向き）。この取付台２１の角部には、ビス穴２３，２３・・が形成されている。そして、この保持部材２は、図７及び図８に示すように、保持部材２の取付台２１の外面（Ｌ型部の外面）を両タイル壁面９，９の凹角部９ａに当てがい、室内側からビス７を取付台２１のネジ穴３２及び凹角部９ａの目地部分を通して柱６にねじ込むことによって強固に取付けることができる。尚、図７において、下側の手摺セットにおける左側の保持部材２は、図４に示す第２実施形態のものを使用している。
【００４９】
又、図６〜図９に示す第３実施形態で、手摺棒１として、パイプ１０を使用し且つ該パイプ１０の壁面に適宜間隔をもって多数の空気通口１１，１１・・を形成したものを使用している。この空気通口１１，１１・・は、手摺棒としての強度を損なわず、且つパイプ１０の内外に空気が流通し得る程度の大きさに形成される。
【００５０】
又、この第３実施形態では、手摺棒１内に吸臭剤５を収納して、室内に発生する臭気を吸臭剤５に吸収させ得るようにしている。吸臭剤５としては、例えば活性炭を小粒状に細断したものが使用できる。又、この吸臭剤（活性炭）５は、細目の網袋５ａ（図８参照）に収容した状態で、手摺棒（パイプ）１０内に収納される。尚、この第３実施形態の手摺セットは、例えば図７に示すようにトイレのような臭気が発生する部屋の壁面に設置するのに適している。
【００５１】
そして、この第３実施形態の手摺セットでは、設置状態において室内の空気が手摺棒１（パイプ１０）の空気通口１１，１１・・を通ってパイプ１０の内外に流通し、そのときパイプ内に流入した空気中の臭気成分を吸臭剤５に吸収させることができる。従って、この第３実施形態の手摺セットでは、手摺本来の機能のほかに、臭気吸収機能を持たせることができるとともに、吸臭剤５を手摺棒１内に収納しているので吸臭剤５の専用設置スペースが不要になる。
【００５２】
尚、図６〜図９に示す第３実施形態の手摺セットのその他の構成は、上記第１実施形態のものと同じであり、該第１実施形態のものと同じ機能を有する。
【図面の簡単な説明】
【図１】本願第１実施形態の手摺セットの一部斜視図である。
【図２】図１のＩＩ−ＩＩ断面相当図である。
【図３】図１の手摺セットの設置状態を示す平面図である。
【図４】本願第２実施形態の手摺セットの一部斜視図（図１相当図）である。
【図５】図４の手摺セットの設置状態を示す平面図（図３相当図）である。
【図６】本願第３実施形態の手摺セットの一部斜視図（図１相当図）である。
【図７】図６の手摺セットの設置状態を示す平面図である。
【図８】図７の一部拡大斜視図である。
【図９】図８のＩＸ−ＩＸ拡大断面図である。
【図１０】従来の手摺セットの設置状態を示す平面図である。
【符号の説明】
１は手摺棒、１ａは端部、２は保持部材、３は筒体，４は固定手段（ビス）、５は吸臭剤、６は柱、７はビス、１０はパイプ、１１は空気通口、２１は取付台、２２は張出部である。
【図１】
2004257147.tif 000003
【図２】
2004257147.tif 000004
【図３】
2004257147.tif 000005
【図４】
2004257147.tif 000006
【図５】
2004257147.tif 000007
【図６】
2004257147.tif 000008
【図７】
2004257147.tif 000009
【図８】
2004257147.tif 000010
【図９】
2004257147.tif 000011
【図１０】
2004257147.tif 000012